(57)【特許請求の範囲】
【請求項１】
一体化時に光ファイバを挟み込む基体および蓋体からなる２つ割り構造の素子の前記基体の蓋体と接触する面上に光ファイバを突き合わせ接続可能に位置決め調心するためのＶ溝が設けられ、前記素子の基体と蓋体とはその一方の接合面側からコ字状のクランプバネが圧入され側圧が付与されて一体に保持されており、前記基体および蓋体の他方の接合面には、前記クランプバネにより一体に保持された状態の基体と蓋体とを開放するための楔を挿入する楔挿入溝が形成された光ファイバ接続器において、ゴミ侵入防止手段として、前記楔挿入溝に、滑剤が塗布または充填されていることを特徴とする光ファイバ接続器。
【請求項２】
一体化時に光ファイバを挟み込む基体および蓋体からなる２つ割り構造の素子の前記基体の蓋体と接触する面上に光ファイバを突き合わせ接続可能に位置決め調心するためのＶ溝が設けられ、前記素子の基体と蓋体とはその一方の接合面側からコ字状のクランプバネが圧入され側圧が付与されて一体に保持されており、前記基体および蓋体の他方の接合面には、前記クランプバネにより一体に保持された状態の基体と蓋体とを開放するための楔を挿入する楔挿入溝が形成された光ファイバ接続器において、ゴミ侵入防止手段として、防御壁が、前記楔挿入溝の奥に、蓋体から基体の楔挿入溝に突出して形成されていることを特徴とする光ファイバ接続器。
【請求項３】
一体化時に光ファイバを挟み込む基体および蓋体からなる２つ割り構造の素子の前記基体の蓋体と接触する面上に光ファイバを突き合わせ接続可能に位置決め調心するためのＶ溝が設けられ、前記素子の基体と蓋体とはその一方の接合面側からコ字状のクランプバネが圧入され側圧が付与されて一体に保持されており、前記基体および蓋体の他方の接合面には、前記クランプバネにより一体に保持された状態の基体と蓋体とを開放するための楔を挿入する楔挿入溝が形成された光ファイバ接続器において、ゴミ侵入防止手段として、ゴミ逃がし凹部が、前記基体または蓋体に、前記Ｖ溝に並行にかつ前記Ｖ溝を挟んで形成されていることを特徴とする光ファイバ接続器。
【発明の詳細な説明】
【０００１】
【発明の属する技術分野】
本発明は、ゴミ侵入防止手段を設けることにより良好な光接続が安定して得られるようにした光ファイバ接続器に関する。
【０００２】
【従来の技術】
光ファイバ同士を接続する方法にはコネクタ接続法、融着接続法などがある。
前記コネクタ接続法の１種であるメカニカルスプライス式接続法について図５（ａ）（ｂ）を参照して説明すると、一体化時に光ファイバを挟み込む基体２および蓋体３からなる２つ割り構造の素子１からなり、基体２の蓋体３と接触する面に光ファイバ７を突き合わせ接続可能に位置決め調心するＶ溝８が設けられ、素子１の基体２と蓋体３とはその一方の接合面側からコ字状のクランプバネ４が圧入され側圧が付与されて一体に保持されており、基体２と蓋体３の他方の接合面には、クランプバネ４により一体に保持された状態の基体２と蓋体３とを開放するための楔１２を挿入する楔挿入溝５が形成されたものである。
【０００３】
前記光ファイバ接続器に光ファイバ７を接続する方法は次の通りである。
即ち、▲１▼楔挿入溝５に楔１２を押込んで、コ字状クランプバネ４で一体に保持された基体２と蓋体３との間に隙間を開け、▲２▼この状態で接続しようとする光ファイバ７を素子１の前方および後方からそれぞれ基体２の蓋体３と接触する面に設けたＶ溝８に沿って挿入して素子１中央部で前記光ファイバ７の各々の先端面（カット面）同士を突き合わせ接続し、▲３▼次いで楔１２を外して光ファイバ７を基体２と蓋体３との間に挟み込み固定する。
【０００４】
【発明が解決しようとする課題】
しかし、前記光ファイバ接続器では、楔挿入溝５に楔１２を押込んで基体２と蓋体３との間に隙間を開けるときに、基体２または蓋体３が楔１２により削られ、この削片が素子１内部の基体２と蓋体３の接触面やＶ溝８などに侵入し付着して光ファイバ７の把持力を弱める。その結果僅かな温度変化でも光ファイバ７が動いて接続損失や反射減衰量が増大し、良好な光接続が安定して得られなくなるという問題がある。
本発明は、ゴミ侵入防止手段を設けることにより良好な光接続が安定して得られるようにした光ファイバ接続器の提供を目的とする。
【０００５】
【課題を解決するための手段】
請求項１記載の発明は、一体化時に光ファイバを挟み込む基体および蓋体からなる２つ割り構造の素子の前記基体の蓋体と接触する面上に光ファイバを突き合わせ接続可能に位置決め調心するためのＶ溝が設けられ、前記素子の基体と蓋体とはその一方の接合面側からコ字状のクランプバネが圧入され側圧が付与されて一体に保持されており、前記基体および蓋体の他方の接合面には、前記クランプバネにより一体に保持された状態の基体と蓋体とを開放するための楔を挿入する楔挿入溝が形成された光ファイバ接続器において、ゴミ侵入防止手段として、前記楔挿入溝に、滑剤が塗布または充填されていることを特徴とする光ファイバ接続器である。
【０００６】
請求項２記載の発明は、一体化時に光ファイバを挟み込む基体および蓋体からなる２つ割り構造の素子の前記基体の蓋体と接触する面上に光ファイバを突き合わせ接続可能に位置決め調心するためのＶ溝が設けられ、前記素子の基体と蓋体とはその一方の接合面側からコ字状のクランプバネが圧入され側圧が付与されて一体に保持されており、前記基体および蓋体の他方の接合面には、前記クランプバネにより一体に保持された状態の基体と蓋体とを開放するための楔を挿入する楔挿入溝が形成された光ファイバ接続器において、ゴミ侵入防止手段として、防御壁が、前記楔挿入溝の奥に、蓋体から基体の楔挿入溝に突出して形成されていることを特徴とする光ファイバ接続器である。
【０００７】
請求項３記載の発明は、一体化時に光ファイバを挟み込む基体および蓋体からなる２つ割り構造の素子の前記基体の蓋体と接触する面上に光ファイバを突き合わせ接続可能に位置決め調心するためのＶ溝が設けられ、前記素子の基体と蓋体とはその一方の接合面側からコ字状のクランプバネが圧入され側圧が付与されて一体に保持されており、前記基体および蓋体の他方の接合面には、前記クランプバネにより一体に保持された状態の基体と蓋体とを開放するための楔を挿入する楔挿入溝が形成された光ファイバ接続器において、ゴミ侵入防止手段として、ゴミ逃がし凹部が、前記基体または蓋体に、前記Ｖ溝に並行にかつ前記Ｖ溝を挟んで形成されていることを特徴とする光ファイバ接続器である。
【０００９】
【発明の実施の形態】
以下に本発明を図を参照して具体的に説明する。
図１は、本発明のゴミ侵入防止手段の第１の実施形態を示す横断面説明図である。
この光ファイバ接続器は、素子１を構成する基体２と蓋体３とが、双方の接合面の一方の側にコ字状クランプバネが圧入されて一体に保持され、コ字状クランプバネ４と反対側の双方の接合面に形成された楔挿入溝５に滑剤６が充填されたものである。図１で７は基体２上のＶ溝８に位置決め調心して配置された光ファイバである。
この光ファイバ接続器では、楔挿入溝５に滑剤６が充填されているので楔１２を押込んでも滑剤の潤滑作用により削片などの発生が抑制される。また楔１２を押込んだときに削片などのゴミが発生しても、前記ゴミは滑剤６に吸着されて素子１内部の基体２と蓋体３の接触面やＶ溝８などに侵入するようなことがない。滑剤６には光学用シリコングリース、パラフィン、ワセリン、グリース、高粘度液状油などが適用される。
滑剤６は楔挿入溝５内面に塗布してもその効果が十分に得られる。
【００１０】
図２は、本発明のゴミ侵入防止手段の第２の実施形態を示す横断面説明図である。図１と同一の部分は同一の符号を付してある。
この光ファイバ接続器は、楔挿入溝５の奥に防御壁９が蓋体３に一体に形成されたものである。
この光ファイバ接続器では、楔１２を押込んだときに発生する削片などのゴミは防御壁９により素子１内部の基体２と蓋体３の接触面やＶ溝８などに侵入するようなことがない。
防御壁９は、楔挿入溝５の長さ方向全体に設けるのが望ましい。
防御壁９は基体２に形成されていても同様の効果が得られる。
【００１１】
図３は、本発明のゴミ侵入防止手段の第３の実施形態を示す横断面説明図である。図１と同一の部分は同一の符号を付してある。
この光ファイバ接続器は、楔挿入溝５部分に位置する蓋体３の基体２と接触する面にゴミ逃がし凹部１０がＶ溝８を挟んで２本形成されたものである。
この光ファイバ接続器では、楔１２を押込んだときに発生する削片などのゴミはゴミ逃がし凹部１０にトラップされて、素子１内部の基体２と蓋体３の接触面やＶ溝８などへ侵入し難くなる。
なお、上記は、２本のゴミ逃がし凹部１０を設けた例であるが、楔挿入溝５側に形成したゴミ逃がし凹部１０のみでも効果がある。
【００１２】
図４は、本発明のゴミ侵入防止手段の第４の実施形態を示す横断面説明図である。図１と同一の部分は同一の符号を付してある。
この光ファイバ接続器は、楔挿入溝５部分に位置する基体２の蓋体３と接触する面にゴミ逃がし凹部１１がＶ溝８を挟んで２本形成されたものである。
この光ファイバ接続器では、図３に示したものと同様の効果が得られる。
図３、４では、ゴミ逃がし凹部１０、１１は楔挿入溝５部分のみに形成しても効果があるが、さらに長くしてＶ溝８全長に渡って形成するようにするとより効果的である。また図２〜４に示したゴミ侵入防止手段に、楔挿入溝５に滑剤６を塗布または充填する手段を併用するとより大きい効果が得られる。
【００１３】
【発明の効果】
以上に述べたように、本発明の光ファイバ接続器は、楔挿入溝、基体、または蓋体にゴミ侵入防止手段が設けられているので、楔挿入溝に楔を押込むとき発生する削片などのゴミは、素子内部の基体と蓋体の接触面やＶ溝などに侵入し付着するのが防止される。従って光ファイバは基体と蓋体の間に適正に挟み込まれ固定されて良好な光接続が安定して得られる。
【図面の簡単な説明】
【図１】本発明のゴミ侵入防止手段の第１の実施形態を示す横断面説明図である。
【図２】本発明のゴミ侵入防止手段の第２の実施形態を示す横断面説明図である。
【図３】本発明のゴミ侵入防止手段の第３の実施形態を示す横断面説明図である。
【図４】本発明のゴミ侵入防止手段の第４の実施形態を示す横断面説明図である。
【図５】（ａ）は光ファイバ接続器の斜視説明図、（ｂ）は（ａ）のＡ−Ａ矢視断面図である。
【符号の説明】
１  素子
２  基体
３  蓋体
４  コ字状クランプバネ
５  楔挿入溝
６  滑剤
７  光ファイバ
８  Ｖ溝
９  防御壁
１０  蓋体に設けたゴミ逃がし凹部
１１  基体に設けたゴミ逃がし凹部
１２  楔
【図１】
0003794534.tif 000002
【図２】
0003794534.tif 000003
【図３】
0003794534.tif 000004
【図４】
0003794534.tif 000005
【図５】
0003794534.tif 000006